(57)【要約】      （修正有）【課題】軽量、折りたたみ可能、かつ安価な簡易型花瓶であって、花束を適切な位置にバランスよく生けることができる簡易型花瓶を提供する。【解決手段】本考案の簡易型花瓶１は、底部２と、側壁３とを備える。側壁３の上端部にはタブ部４が側壁３と一体的に形成されており、タブ部４の上端部には略半円形の切り欠き部５が形成されている。【選択図】図２
0003117146.tif 000002
【実用新案登録請求の範囲】
【請求項１】
簡易型花瓶であって、
所定箇所で折りたたみ可能な底部と、前記底部に接続されている側壁と、前記側壁の上端部から延びるタブ部とを有し、
前記タブ部を前記側壁に対して前記花瓶の内側に向かって折り曲げ可能とする折り代部が、前記側壁と前記タブ部との間の境界部分に設けられており、
前記簡易型花瓶は、前記底部を前記所定箇所で折りたたむことにより全体的に略平坦に折りたたみ可能であり、
前記簡易型花瓶を折りたたまれた状態から使用状態へ組み立てて前記タブ部を前記折り代部に沿って前記花瓶の内側に向かう方向に折り曲げたときに前記簡易型花瓶の口部の略中央部分に開口部を形成する切り欠き部が、前記タブ部の前記折り代部とは反対側の縁部に形成されている
ことを特徴とする、簡易型花瓶。
【考案の詳細な説明】
【技術分野】
【０００１】
本考案は、折りたたみ可能な簡易型花瓶に関する。
【背景技術】
【０００２】
従来、花屋等で花束を購入して病院へのお見舞い、お墓参り、家庭等への訪問をする場合、行き先で花瓶の有無、花瓶の大きさ、あるいは持参する花と花瓶とが合うか否か等の心配、不安を感じることが多かった。
【０００３】
一般に、花瓶は陶器あるいはガラス製であり、重くて高価である。そのため、購入の際には、切り花の形態ではなく、オアシス（吸水性フォーム）を用いたアレンジメント（花の茎を短く切り、盛り花にしたもの）をやむを得ず作ってもらい、花の本来の美しさを欠如した形で持参しなければならないケースがほとんどである。また、アレンジメントを作らない場合であっても、病室あるいは訪問先に花瓶があると信じて花束を購入する、という場合が多い。
【考案の開示】
【考案が解決しようとする課題】
【０００４】
しかし、例えば病院へのお見舞いの場合を考えると、訪問者が花束を持参することが多いが、花瓶自体は入院に必須なものではないので、花瓶の用意ができていない場合がほとんどである。花屋にも様々な花瓶を置くスペースがない場合が多く、訪問者が重たい花瓶を購入あるいは持参するというケースはあまりない。これらの理由から、欧米とは異なり、切り花の売上は非常に悪いのが現状である。
【０００５】
また、単に広口の容器に水をいれて花瓶として使用しようとしても、花束の太さ等と花瓶の口部分の口径とが合わず、花が倒れたり予想以上に傾いてしまったりして、花を適当な形で美しく花瓶に飾ることが困難である場合が多い。
【０００６】
本考案は、上記問題点に鑑みてなされたものであり、従来の陶器製またはガラス製の花瓶とは異なり、軽量、折りたたみ可能、かつ安価な簡易型花瓶であって、花束を適切な位置にバランスよく生けることができる簡易型花瓶を提供することを目的とする。
【課題を解決するための手段】
【０００７】
上記目的を達成するために、本考案の簡易型花瓶は、所定箇所で折りたたみ可能な底部と、前記底部に接続されている側壁と、前記側壁の上端部から延びるタブ部とを有し、前記タブ部を前記側壁に対して前記花瓶の内側に向かって折り曲げ可能とする折り代部が、前記側壁と前記タブ部との間の境界部分に設けられており、前記簡易型花瓶は、前記底部を前記所定箇所で折りたたむことにより全体的に略平坦に折りたたみ可能であり、前記簡易型花瓶を折りたたまれた状態から使用状態へ組み立てて前記タブ部を前記折り代部に沿って前記花瓶の内側に向かう方向に折り曲げたときに前記簡易型花瓶の口部の略中央部分に開口部を形成する切り欠き部が、前記タブ部の前記折り代部とは反対側の縁部に形成されていることを特徴とするものである。
【考案の効果】
【０００８】
上記構成によれば、花瓶は、コンパクトに折りたたみ可能に構成されているので、花束とともに携帯し、病院等の訪問先へ持参することができる。また、タブ部を花瓶の内側に向かって折り曲げたとき、切り欠き部により開口部が花瓶の略中央部分に形成され、この開口部に切り花の茎部を通すことができるので、花束が斜めにならないように、適切な位置にバランスよく花を生けることが可能となる。
【考案を実施するための最良の形態】
【０００９】
以下、図面を参照して本考案の実施形態について説明する。
図１は本考案の一実施態様に係る、折りたたまれた状態にある簡易型花瓶の平面図である。本考案にかかる簡易型花瓶１は全体的に略平坦に折りたたみ可能であり、図１に示した状態で、あるいは更に長手方向に少なくとも１回折り曲げあるいは丸めた状態で、ポリエチレン袋等の収納袋（不図示）に収納して販売、配布し、花束と共に携帯することができる。
【００１０】
図２は図１に示した簡易型花瓶の使用時の形態を示す外観斜視図である。
簡易型花瓶１は、底部２と、側壁３とから主に構成される。本実施形態に係る花瓶１は、その底部２の所定位置（図２にラインＬで示す）で折りたたみ可能である。花瓶１の安定性のため、側壁３の上端部は、下端部と比較して幅狭に形成されている。図１及び図２に示す例では、側壁３の側辺部分は曲線状に形成されているが、直線状に形成されてもよいことはいうまでもない。
【００１１】
底部２及び側壁３は、例えば比較的軟質のポリ塩化ビニルフィルムやポリマー樹脂等の合成樹脂、または防水処理を施されたラミネート上質紙といった、比較的軽量であり、比較的軟質で、防水性のある、熱圧着可能なシート状の材料で形成されている。従って、本実施形態に係る簡易型花瓶は、シート状の材料を所定の形状に切断して底部２及び２つの側壁３をそれぞれ別体として作成し、底部２及び各側壁３を、例えばシーラー（熱圧着機）により熱的に互いに溶着することにより、形成することができる。同様に、互いに隣接する側壁間も、その側端部において互いに溶着することができる。このようにして、底部と側壁との間、及び隣接する側壁間は、互いに水密に接着される。
【００１２】
なお、上記説明では底部及び２つの側壁を別体として用意しているが、底部を一方の側壁と一体的にシート状材料を切断し、シーラーにより適当な位置に折り目をつけることで底部と側壁とを形成することもできる。また、側壁は２枚の部材を別々に設けなくても、例えば花瓶１の側壁全体を１枚のシート状材料から形成してもよく、更に、底面を多角形とする場合には、その底面の形状に応じた数の側壁を用意してもよい。また、本考案の簡易型花瓶１は、シーラーによる熱圧着以外の様々な手法によって製造可能である。例えば、射出成形により、花瓶全体を一体的に形成することも可能であることはいうまでもない。
【００１３】
各側壁３には、その上端部から延びるタブ部４が、各側壁３と一体的に形成されており、タブ部４の上端部には略半円形の切り欠き部５が形成されている。側壁３とタブ部４との間には折り代部６が設けられている。折り代部６は、例えばシーラー熱圧着機による型押し線として形成される。図２に示した実施形態では、２つのタブ部４は互いに接着されておらず、従って、図２のような簡易型花瓶の使用時には、各タブ部４をそれぞれ花瓶１の内側へ折り曲げることができる。タブ部４を内側へ折り曲げると、花瓶１の口部分には、切り欠き部５により開口部が形成される。花瓶１の口部分は、切り欠き部５による開口部以外の部分がタブ部４によって閉ざされた状態となる。側壁２に対するタブ部４の折り曲げ角度を調節することにより、切り欠き部により形成される開口部の大きさを広げたり狭めたりすることができる。
【００１４】
このように構成することにより、花束の茎部分の太さに合わせて開口部の大きさを変化させることができる。従って、花束の太さに関わらず、花束が斜めにならないように、簡易型花瓶１の略中央部分に、バランスよく花束を配置することが可能となる。また、花を花瓶１の略中央部分に配置できるので、生けられた花が花瓶の側壁３にもたれかかって花瓶１を変形させ、花が倒れたり、水がこぼれたりすることを防止することもできる。
【００１５】
上述したように、花瓶１は防水性の材料で形成されており、使用時は、水を入れることができる。花瓶に入れられた水の量が例えば１．５リットル〜２．５リットルである場合は、その花瓶の全体としての重さは１．５キログラム〜２．５キログラムとなり、花束を保持するのに十分な重量を得ることができる。また、簡易型花瓶１自体は軟性の材質で作られているが、内側から外側へ向かう水の圧力により花瓶１の形状の歪みを防止することができ、常に安定した形状の花瓶としての強度を維持することができる。
【００１６】
なお、図１及び図２に示した例では、側壁３の縁部から切り欠き部５へ延びるタブ部４の縁部が湾曲形状に形成されているが、直線的に形成してもよい。また、切り欠き部５の形状は半円形状に限られるものではなく、半楕円形状、多角形形状、スロット形状など、花瓶１の内側に向かって複数のタブ部４を折り曲げたときに花瓶１の口部分の略中心部分に開口を形成することができる形状であればよい。タブ部４を折り曲げたときに形成される開口部の形状は、略円形である必要はなく、開口部により花束を花瓶１の略中心へ保持することができればよい。
【００１７】
なお、本考案に係る簡易型花瓶は、その表面に、文字、図形、記号もしくは模様又はこれらの組み合わせである種々の図柄を印刷することができる。印刷には、当業者に公知のいかなる手法を用いても良い。たとえば、凸版製版工程、平板（平凸版）製版工程、グラビア製版工程、箔押し印刷、または素材自体に着色する等の手法により、簡易型花瓶の表面に様々な表示を行うことができる。このような簡易型花瓶に様々な図柄、例えば商品名、店舗名、キャラクター、スローガン等を印刷することにより、大きな宣伝、広告効果が得られる。本考案の簡易型花瓶は、花屋、日用品店、オフィス、ホテル、学校、劇場、一般家庭等で利用でき、長時間人目に触れることが多いので、その宣伝、広告効果は顕著である。また、簡易型花瓶を折りたたんだ状態を収容するパッケージ自体にも種々の図柄を印刷して、更に宣伝・広告効果を高めることができる。
【００１８】
以上説明したように、本実施形態によれば、簡易型花瓶１のタブ部４を花瓶１の内側に折り曲げたとき、切り欠き部５により形成される開口部に切り花の茎部等を通すことができるので、花束が斜めにならないように、適切な位置にバランスよく花を生けることが可能となる。
【図面の簡単な説明】
【００１９】
【図１】本考案の一実施形態に係る簡易型花瓶の折りたたんだ状態を示す平面図である。
【図２】図１に示した簡易型花瓶の使用時の状態を示す外観斜視図である。
【符号の説明】
【００２０】
１    簡易型花瓶
２    底部
３    側壁
４    タブ部
５    切り欠き部
６    折り代部
【図１】
0003117146.tif 000003
【図２】
0003117146.tif 000004